(57)【要約】 【課題】落下等の衝撃が支柱からベース部にかかってもベース部の損傷を防止できる電気ストーブを提供する。【解決手段】本体ケース部３が取り付けられた支柱７を支持するベース部９を、支柱７の一端と当接するベース板３０を組み込むベース２９と、それに被せるベースカバー２７で構成し、ベース２９には支柱７の一面と接してネジ３１で係合する支柱係合部３３を有する中央リブ部３４を設け、ベース板３０には支柱７の反対側面と接して支柱７を中央リブ部３４と狭持し、支柱７とネジ４２で係合する支柱係合片４３を立設したので、落下の衝撃を支柱７からベース板３０全体を通してベース２９のベース板取付部３５全体に分散するので、衝撃でベース部９が損傷するのを防止できるものである。【選択図】図３
2010085041.tif 000002
【特許請求の範囲】
【請求項１】
ヒータを備えた本体ケース部と、該本体ケース部を支持する支柱と、該支柱を支持するベース部とを備えた電気ストーブに於いて、前記ベース部は支柱の一端と当接するベース板と、該ベース板全体と接するベース板取付部を形成しベース板を組み込むベースと、上面に支柱差込口を有し、前記ベースに被せるベースカバーとからなり、前記ベースにはベースカバーの支柱差込口より挿入された支柱の一面と接して支柱とネジにて係合する支柱係合部を形成した中央リブ部を設け、前記ベース板にはベースカバーの支柱差込口より挿入された支柱の支柱係合部と接する面の反対側の面と接して支柱の一端を前記中央リブ部と狭持し、支柱とネジにて係合する支柱係合片を立設したことを特徴とする電気ストーブ。
【請求項２】
前記中央リブ部の支柱係合部は、支柱の一面と接する支柱係合面を垂直な面で形成すると共に、前記中央リブ部の下部には支柱の一面下部に形成した支柱案内切り欠き部と係合する支柱案内片とベース板の長手方向の一辺の中央に形成されたベース板案内切り欠き部と係合するベース板案内片とを一体に形成したことを特徴とする請求項１記載の電気ストーブ。
【請求項３】
前記中央リブ部の支柱係合部と支柱の一面とを係合するネジと、ベース板の支柱係合片と支柱の支柱係合部と接する面の反対側の面とを係合するネジを異なる高さで係合したことを特徴とする請求項２記載の電気ストーブ。
【発明の詳細な説明】
【技術分野】
【０００１】
この発明は、電気ストーブに関するものである。
【背景技術】
【０００２】
従来よりこの種のものに於いては、例えば、ヒータ本体の首振り機構が台座部上方の筒胴部内に設けられ、ヒータ本体が取り付けられたフレームの下端がＬ字形のフレーム取付部に挿入され、そのフレーム取付部をカム筒部が支持し、更にそのカム筒部を台座部に固着した架台が支持することで、ヒータ本体が台座部に支持されていた。（例えば、特許文献１参照）
【特許文献１】実公平０２−４２９６４号公報
【０００３】
または、ヒータが収納されたヒータ本体が、基台の表面の略中心部に形成した窪み部に挿入される連結部材で基台に結合されていた。（例えば、特許文献２参照）
【特許文献２】特開２００８−２５９５９号公報
【発明の開示】
【発明が解決しようとする課題】
【０００４】
ところでこの従来のものでは、何らかの原因で落下させてしまうと、その衝撃が基台とヒータ本体との結合部分にかかり、その衝撃により結合部分や基台が損傷したり、従来の特許文献１のように衝撃による結合部分や基台の損傷を防ぐために、その衝撃を緩和させる基台とヒータ本体の複雑な支持構造が必要であった。
【課題を解決するための手段】
【０００５】
この発明はこの点に着目し上記課題を解決する為、特にその構成を請求項１では、ヒータを備えた本体ケース部と、該本体ケース部を支持する支柱と、該支柱を支持するベース部とを備えた電気ストーブに於いて、前記ベース部は支柱の一端と当接するベース板と、該ベース板全体と接するベース板取付部を形成しベース板を組み込むベースと、上面に支柱差込口を有し、前記ベースに被せるベースカバーとからなり、前記ベースにはベースカバーの支柱差込口より挿入された支柱の一面と接して支柱とネジにて係合する支柱係合部を形成した中央リブ部を設け、前記ベース板にはベースカバーの支柱差込口より挿入された支柱の支柱係合部と接する面の反対側の面と接して支柱の一端を前記中央リブ部と狭持し、支柱とネジにて係合する支柱係合片を立設したものである。
【０００６】
又請求項２に係る電気ストーブでは、特にその構成を請求項１の電気ストーブにおいて、前記中央リブ部の支柱係合部は、支柱の一面と接する支柱係合面を垂直な面で形成すると共に、前記中央リブ部の下部には支柱の一面下部に形成した支柱案内切り欠き部と係合する支柱案内片とベース板の長手方向の一辺の中央に形成されたベース板案内切り欠き部と係合するベース板案内片とを一体に形成したものである。
【０００７】
又請求項３に係る電気ストーブでは、特にその構成を請求項２の電気ストーブにおいて、前記中央リブ部の支柱係合部と支柱の一面とを係合するネジと、ベース板の支柱係合片と支柱の支柱係合部と接する面の反対側の面とを係合するネジを異なる高さで係合したものである。
【発明の効果】
【０００８】
この発明の請求項１によれば、ヒータを備えた本体ケース部と、該本体ケース部を支持する支柱と、該支柱を支持するベース部とを備えた電気ストーブに於いて、前記ベース部は支柱の一端と当接するベース板と、該ベース板全体と接するベース板取付部を形成しベース板を組み込むベースと、上面に支柱差込口を有し、前記ベースに被せるベースカバーとからなり、前記ベースにはベースカバーの支柱差込口より挿入された支柱の一面と接して支柱とネジにて係合する支柱係合部を形成した中央リブ部を設け、前記ベース板にはベースカバーの支柱差込口より挿入された支柱の支柱係合部と接する面の反対側の面と接して支柱の一端を前記中央リブ部と狭持し、支柱とネジにて係合する支柱係合片を立設したので、本体ケース部を始めとする重量物の重量を、まず支柱からベース板全体に分散させ、更にそのベース板をベース板取付部全体がベース板と接して支持することにより、落下等の衝撃が支柱からベース部にかかっても、ベース板全体からベース板取付部全体に分散され、その衝撃を緩和させるベース部と本体ケース部とに複雑な支持構造を設けることなく、その衝撃により支柱とベース部の結合部分やベース部のベースが損傷するのを防止できるものである。
【０００９】
又本発明の請求項２に記載の電気ストーブによれば、請求項１の電気ストーブに於いて、前記中央リブ部の支柱係合部は、支柱の一面と接する支柱係合面を垂直な面で形成すると共に、前記中央リブ部の下部には支柱の一面下部に形成した支柱案内切り欠き部と係合する支柱案内片とベース板の長手方向の一辺の中央に形成されたベース板案内切り欠き部と係合するベース板案内片とを一体に形成したので、支柱係合部の支柱係合面全体がガタなく支柱と接し、支柱が垂直にベース部に組み付けられると共に、ベース２９に対してベース板３０の位置決めを容易に行うことができ、簡単にベースにベース板を組み込むことができ、更にベースに対して支柱の位置決めを容易に行うことができ、簡単にベースに支柱を組み込むことができるものである。
【００１０】
又本発明の請求項３に記載の電気ストーブによれば、請求項２の電気ストーブに於いて、前記中央リブ部の支柱係合部と支柱の一面とを係合するネジと、ベース板の支柱係合片と支柱の支柱係合部と接する面の反対側の面とを係合するネジを異なる高さで係合したので、支柱がネジの取付方向に荷重がかかっても、その荷重が上下のネジ止め位置に分散されるので、支柱の前後方向の大きい荷重に耐えられるものである。
【発明を実施するための最良の形態】
【００１１】
次に、本発明に係る発明の一実施形態を図面に基づいて説明する。
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５を覆うカバー部６と、前記首振り機構部５と該首振り機構部５を支持する支柱７の一端とが固定される支柱固定部８と、前記支柱７の他端が固定されて支柱７を支持するベース部９から構成されている。
【００１２】
前記本体ケース部３は、正面下部に暖房能力を表示する表示部１０を設けると共に、上面には操作部１１を設け、該操作部１１は暖房運転のオンオフ及び暖房能力を設定する回転式の運転つまみ１２と、暖房能力をある幅で高低させるゆらぎ運転スイッチ１３と、３０分から１〜３時間まで運転時間を設定できる切りタイマースイッチ１４と、本体ケース部３を首振り動作させる首振りスイッチ１５を有するものである。
【００１３】
叉前記首振り機構部５は、本体ケース部３を回転自在に支持する回転軸ユニット１６と、首振りさせるための駆動用モータ１７と、首振り軸１８を有し前記回転軸ユニット１６と駆動用モータ１７が固定されるモータ取り付け台１９と、前記駆動用モータ１７の回転を首振りの往復動作に変換するリンク２０とを有するものである。
【００１４】
叉前記支柱固定部８は、前記モータ取り付け台１９を載置するモータ取付板カバー２１と、該モータ取付板カバー２１を載置する支柱固定板カバー２２と、該支柱固定板カバー２２を載置すると共に支柱７の上端が差し込まれて固定される支柱固定板２３とからなるものである。
【００１５】
前記支柱固定板カバー２２は断面略逆凹形状の円筒状で、上面２４にはその中心にモータ取り付け台１９の首振り軸１８が差し込まれる中空円筒状の軸受け部２５が立設され、また電源コードを保持するコード保持部２６が立設されているものである。
【００１６】
２７は上面に支柱差込口２８を有するベースカバーで、該ベースカバー２７とベース２９とでベース部９を構成し、前記ベース２９内にはベース部９に挿入されて固定される支柱７の他端が当接する金属製のベース板３０がネジにて固定されているものである。
【００１７】
前記ベース２９は略四角形で、略中央にベースカバー２７の裏面と当接してベースカバー２７にかかる荷重を受けると共に、ベースカバー２７の支柱差込口２８より挿入された支柱７の一面と接して支柱７をネジ３１にて係合する支柱係合面３２を有する支柱係合部３３を形成した中央リブ部３４を形成し、叉、断面逆Ｕ字状で、ベースカバー２７の支柱差込口２８に対応する位置に支柱係合部３３と直交する方向にベース板３０を固定するベース板取付部３５が形成されているものである。
【００１８】
また前記支柱係合部３３の中央下部には、支柱７の他端の支柱案内切り欠き部３６と係合する支柱案内片３７と、該支柱案内片３７と一体に形成され支柱案内片３７よりも高くて大きく、ベース板３０の長手方向の一辺の中央に形成されたベース板案内切り欠き部３８と係合するベース板案内片３９とが形成されているものである。
【００１９】
また前記ベース板案内片３９の反対側には、ベース板３０をベース板取付部３５に取り付けた時のガタを少なくすると共に電源ケーブルを案内するために中央に略Ｕ字状の電線案内溝４０を有する電線案内部４１を立設したものである。
【００２０】
前記ベース板３０は、ベース板取付部３５にネジ止めするネジを差し込むネジ孔４２が長手方向に２カ箇所形成され、叉長手方向の略中央にはベースカバー２７の支柱差込口２８より挿入された支柱７の一面と接して支柱７をネジ４２にて係合する支柱係合片４３がベース板３０の略中央を挟んだ形で左右に立設され、該支柱係合片４３にはネジ４２を差し込むためのネジ用孔４４が形されているものである。
【００２１】
次に支柱７及びベース部９の組み立てについて説明する。
まず、ベース２９のベース板取付部３５に、ベース板３０のベース板案内切り欠き部３８とベース２９のベース板案内片３９を係合させると共に、ベース板取付部３５の位置決め凸部４５とベース板３０の位置決め長孔４６を係合させた状態にする。
これにより、ベース２９に対してベース板３０の位置決めを容易に行うことができ、簡単にベース２９にベース板３０を組み込むことができるものである。    またこの時、電線案内部４１のベース板３０の側面と対向する部分は、ベース板３０に向かって突出してベース板３０との隙間を小さくしているので、ベース板３０をベース板取付部３５に取り付けた時のガタがより少なくなっている。
【００２２】
その状態で、ベース板３０のネジ孔４２からネジにてベース板３０をベース板取付部３５に固定し、次にベース２９の電線案内溝４０に電源ケーブルの取付部（図示せず）を取り付ける。
そして次に、ベース２９の支柱案内片３７に支柱７の支柱案内切り欠き部３６が係合するように支柱７を支柱係合部３３と支柱係合片４３の間の空間に差し込む。
これにより、ベース２９に対して支柱７の位置決めを容易に行うことができ、簡単にベース２９に支柱７を組み込むことができるものである。
【００２３】
次に、支柱７の支柱案内切り欠き部３６の反対側には、円状の電源ケーブル差し込み口４７が形成されているので、電源ケーブルを左右の支柱係合片４３の間を通って電源ケーブル差し込み口４７から支柱７内を通し、支柱７の上端から電源ケーブルを出す。
【００２４】
この時、中央リブ部３４の支柱係合部３３はベース２９が合成樹脂製で成型時の抜き勾配があるが、支柱７と接する支柱係合部３３の支柱係合面３２については、支柱７とガタなく接するようにするため、抜き勾配が設けられておらず垂直な面が形成され、従って支柱係合面３２全体がガタなく支柱７と接し、支柱７が垂直にベース部９に組み付けられるものである。
【００２５】
この状態で、中央リブ部３４側から支柱７に向かって中央リブ部３４と支柱７をネジ３１にて固定し、更にベース板３０の支柱係合片４３側から支柱７に向かって支柱係合片４３と支柱７をネジ４２にて固定する。
この時、ネジ３１とネジ４２のネジ止めする高さが異なっているので、同じ高さでネジ止めする場合に比べて、支柱７がネジの取付方向に動いてもその荷重が上下のネジ止め位置に分散されるので、前後方向の大きい荷重に耐えられるものである。
【００２６】
そして支柱７上端をベースカバー２７の支柱差込口２８を通して、ベースカバー２７をベース２９に組み付け、その状態でネジ（図示せず）にてベースカバー２７をベース２９にネジ止めすることで、支柱７及びベース部９の組み立てが終了するものである。
【００２７】
このように、本体ケース部３を始めとする重量物を支柱７にて支持するもので、その重量をまず支柱７から金属製のベース板３０全体に分散させ、更にそのベース板３０をベース板取付部３５全体がベース板３０と接して支持するので、落下等の衝撃が支柱７からベース部９にかかっても、ベース板３０全体からベース板取付部３５全体に分散されるので、その衝撃を緩和させるベース部９と本体ケース部３とに複雑な支持構造を設けることなく、その衝撃により支柱７とベース部９の結合部分やベース部９のベース２９が損傷するのを防止できるものである。
【００２８】
また、ベース２９の中央リブ部３４の支柱係合部３３で、支柱７と接する支柱係合面３２については抜き勾配が設けられておらず垂直な面が形成されているので、支柱係合面３２全体が支柱７と接して支柱７のガタつきを防止しているものである。
【００２９】
また、支柱７をベース部９に固定するため、ベース部９に差し込んでベース板３０と当接する支柱７の一端を、中央リブ部３４側から支柱７に向かって中央リブ部３４と支柱７をネジ３１にて固定し、更にベース板３０の支柱係合片４３側から支柱７に向かって支柱係合片４３と支柱７をネジ４２にて固定するが、この時、ネジ３１とネジ４２のネジ止めする高さを異ならせていることにより、同じ高さでネジ止めする場合に比べて、支柱７がネジの取付方向に荷重がかかっても、その荷重が上下のネジ止め位置に分散されるので、支柱７の前後方向の大きい荷重に耐えられるものである。
【図面の簡単な説明】
【００３０】
【図１】この発明の一実施例を付した電気ストーブを示す斜視図。
【図２】同側面図。
【図３】同支持部の部品構成図。
【図４】同ベースにベース板を組み込んだ状態の平面図。
【図５】同背面図。
【図６】同ベースにベース板と支柱を組み込んだ状態の背面図。
【図７】同ＡＡ断面図。
【図８】同ＢＢ断面図。
【符号の説明】
【００３１】
１  電気ストーブ
２  ヒータ
３  本体ケース部
７  支柱
９  ベース部
２７  ベースカバー
２８  支柱差込口
２９  ベース
３０  ベース板
３１  ネジ
３３  支柱係合部
３４  中央リブ部
３５  ベース板取付部
４２  ネジ
４３  支柱係合片
【図１】
2010085041.tif 000003
【図２】
2010085041.tif 000004
【図３】
2010085041.tif 000005
【図４】
2010085041.tif 000006
【図５】
2010085041.tif 000007
【図６】
2010085041.tif 000008
【図７】
2010085041.tif 000009
【図８】
2010085041.tif 000010